(57)【特許請求の範囲】
【請求項１】
指標部を有する表示板と、前記指標部を指示する指針と、前記指針を回動させる回転軸を有する駆動手段と、前記表示板を照明する照明光を発する発光素子と、前記発光素子を搭載する回路基板と、前記発光素子が発した前記照明光を反射させる第一の反射部と、前記第一の反射部で反射された前記照明光を更に反射させる第二の反射部と、を備えた計器装置であって、
前記第二の反射部は、波状に配置された複数の反射面を有し、前記複数の反射面は、前記表示板に平行な面に対する傾斜角度を前記回転軸から離れるに従って漸次大きくしたものであることを特徴とする計器装置。
【請求項２】
前記第二の反射部の前記反射面は、前記回路基板に設けられた電気部品に対応する箇所に形成されていることを特徴とする請求項１に記載の計器装置。
【発明の詳細な説明】
【技術分野】
【０００１】
本発明は、表示板を照明する発光素子を備えた計器装置に関するものである。
【背景技術】
【０００２】
従来より、表示板を指針にて指示する計器装置が種々提案されており、例えば特許文献１に開示されている。図４に示すように、計器装置は、回路基板１０と、この回路基板１０に装着され回転軸２０が前方に延びる駆動手段３０と、回転軸２０にて回動される指針４０と、この指針４０の背後に配置される表示板５０と、指針４０を照明する指針用光源６０と、表示板５０を照明する表示用光源７０と、回路基板１０と表示板５０との間に配置される第一の反射部材８０及び第二の反射部材９０と、から構成されている。表示用光源７０が発した照明光Ｌは、第一の反射部材８０で反射され、更に、第二の反射部材９０で反射され、表示板５０を照明する。
【先行技術文献】
【特許文献】
【０００３】
【特許文献１】特開２００９−４７５６０号公報
【発明の概要】
【発明が解決しようとする課題】
【０００４】
しかしながら、第二の反射部材９０の反射面の一部の傾斜角度が適切でないため、表示板５０の照明が均一な明るさにならないという問題を有していた。例えば、回路基板１０に搭載された電気部品１１に対応して、第二の反射部材９０の一部に凹部９０ａが設けられていると、第二の反射部材９０の一部が表示板５０と平行になってしまうため、第二の反射部材９０で反射された照明光Ｌの一部が表示板５０に照射されなくなり、表示板５０が均一に照明されない虞があった。
本発明は、この問題に鑑みなされたものであり、表示板５０が均一に照明される計器装置を提供するものである。
【課題を解決するための手段】
【０００５】
本発明は、指標部５１を有する表示板５０と、前記指標部５１を指示する指針４０と、前記指針４０を回動させる回転軸２０を有する駆動手段３０と、前記表示板５０を照明する照明光を発する発光素子７０と、前記発光素子７０を搭載する回路基板１０と、前記発光素子７０が発した前記照明光を反射させる第一の反射部８１と、前記第一の反射部８１で反射された前記照明光を更に反射させる第二の反射部９１，９２，９３，９４，９５と、を備えた計器装置であって、前記第二の反射部９１，９２，９３，９４，９５は、波状に配置された複数の反射面９２，９３，９４を有し、前記複数の反射面９２，９３，９４は、前記表示板５０に平行な面に対する傾斜角度Ａ１，Ａ２，Ａ３を前記回転軸２０から離れるに従って漸次大きくしたものである。
【０００６】
また、本発明は、前記第二の反射部９０の前記反射面９２，９３，９４は、前記回路基板１０に設けられた電気部品１１に対応する箇所に形成されているものである。
【発明の効果】
【０００７】
傾斜角度が漸次異なり、波状に配置された複数の反射面を設けることにより、表示板が均一に照明される。
【図面の簡単な説明】
【０００８】
【図１】本発明の実施形態を示す断面図。
【図２】同上実施形態を示す正面図。
【図３】同上実施形態を示す要部拡大断面図。
【図４】従来例を示す断面図。
【発明を実施するための形態】
【０００９】
以下、添付図面に基づいて、本発明の一実施形態を説明する。
【００１０】
計器装置は、回路基板１０と、この回路基板１０に装着され回転軸２０が前方に延びる駆動手段３０と、回転軸２０にて回動される指針４０と、この指針４０の背後に配置される表示板５０と、指針４０を照明する指針用光源６０と、表示板５０を照明する表示用光源（発光素子）７０と、回路基板１０と表示板５０との間に配置される第一の反射部材８０及び第二の反射部材９０と、から構成されている。
【００１１】
回路基板１０は、例えばガラスエポキシ系基材に配線パターンを施した硬質回路基板からなり、指針用光源６０と、表示用光源７０と、コンデンサ等の電気部品１１とが搭載され、前記配線パターンに導通されている。駆動手段３０は、可動磁石式計器またはステッピングモータからなり、回路基板１０の背後に装着され、且つ半田付け等の導通手段により前記配線パターンに電気接続されている。
【００１２】
指針４０は、透光性樹脂からなり、表示板５０の後述する指標部を指示するように線状に延びる指示部４１と、この指示部４１の回転中心部を覆う遮光性樹脂からなる指針キャップ４２とを備えている。また、指示部４１の前記回転中心部には、背後に配置された指針用光源６０から発せられる光を受光し、その光を指示部４１の先端側に反射導光する受光部４３が形成されている。
【００１３】
表示板５０は、指針４０の回動軌道に沿った円弧状の配列形状を有し指針４０の回動軌道に対応して設けられる指標部５１と、この指標部５１の背景を形成する背景部５２とを備えている。指標部５１は、指針４０の回動中心に向けて延びる棒状形状からなる。
【００１４】
指標部５１，背景部５２は、透光性樹脂からなる薄板状の基材の前面に形成された印刷層からなり、指標部５１は青色系の透光性インクにより形成され、背景部５２は黒色系の遮光性インクにより形成されている。これら指標部５１，背景部５２の各印刷層はスクリーン印刷等の手段を用いて印刷形成されてなる。
【００１５】
指針用光源６０は、チップ型発光ダイオードからなり、指針４０の前記回転中心部に対応する回路基板１０の前方側に配置されている。表示用光源７０は、チップ型発光ダイオードからなり、第一の反射部材８０の反射部（第一の反射部）８１に対応する回路基板１０の前方側に複数個配置されてなる。表示用光源７０は、表示板５０を透過照明するための照明光Ｌを発する。
【００１６】
第一の反射部材８０は、白色の樹脂からなり、回路基板１０と表示板５０との間に配設される。第一の反射部材８０は、表示板５０の貫通部５５に対応し指針用光源６０からの照明光を指針４０の受光部４３に導く筒状部８２と、筒状部８２を取り巻くように形成された湾曲形状の反射部８１と、を備えている。
【００１７】
第二の反射部材９０は、回路基板１０に搭載された電気部品１１に対応して、凹部９０ａが後面に形成されている。第二の反射部材９０は、曲面からなる反射面（第二の反射部）９１，９５と、平面からなる反射面（第二の反射部）９２，９３，９４とを有している（図３参照）。反射面９２，９３，９４は、回路基板１０に搭載された電気部品１１に対応する箇所で、反射面９１と反射面９５の間に配置されている。反射面９２，９３，９４は、正面視では、回転軸２０の前記軸線を中心とする略同心円弧状になっており、反射面９２，９３，９４の近傍における第二の反射部材９０の断面は波状になっている。
【００１８】
図３に示すように、反射面９２，９３，９４の傾斜角度は、夫々、Ａ１，Ａ２，Ａ３になっている。反射面９２，９３，９４の傾斜角度は、Ａ１＜Ａ２＜Ａ３という漸次大きくなる角度になっている。第一の反射部材８０の反射部８１で反射された照明光Ｌは、反射面９１，９２，９３，９４，９５で反射され、表示板５０に略垂直に照射される。
【００１９】
本実施形態によれば、第一の反射部材８０の反射部８１で反射された照明光を、反射面９１，９２，９３，９４，９５にて更に反射させ、表示板５０を透過照明することができる。
【００２０】
なお、本実施形態では、第一の反射部材８０と第二の反射部材９０とは別体であったが、第一の反射部材８０及び第二の反射部材９０が一体に形成されていても良く、本実施形態と同様な効果を得ることができる。また、本実施形態では、第二の反射部材９０の凹部９０ａは電気部品１１に対応する箇所に設けられていたが、例えば、第二の反射部材９０の凹部９０ａが、回路基板１０に電気接続されたコネクタのリード端子に対応した箇所に設けられても良い。
【符号の説明】
【００２１】
１０  回路基板
１１  電気部品
３０  駆動手段
４０  指針
５０  表示板
５１  指標部
７０  発光素子
８１  反射部（第一の反射部）
９１  反射面（第二の反射部）
９２  反射面（第二の反射部）
９３  反射面（第二の反射部）
９４  反射面（第二の反射部）
９５  反射面（第二の反射部）
【図１】
0005724364.tif 000002
【図２】
0005724364.tif 000003
【図３】
0005724364.tif 000004
【図４】
0005724364.tif 000005